(57)【特許請求の範囲】
【請求項１】
ビデオデッキ部と、
前記ビデオデッキ部が搭載されるトレーシャーシであって、前記ビデオデッキ部が搭載された状態での重心位置よりも前方に設けられ断面視略Ｌ字状をしたフック状の第１差込部と、中央部より後方に設けられ断面視略Ｌ字状をしたフック状の第２差込み部と、前記第１差込部よりも後方に設けられた仮止部とを有するトレーシャーシと、
前記第１差込部が差し込まれる第１被差込部と、前記仮止部が嵌め込まれる嵌込部とを有し、前記第１被差込部に前記第１差込部が差し込まれかつ前記嵌込部に前記仮止部が嵌め込まれた状態で、前記ビデオデッキ部が搭載された前記トレーシャーシが自重によって仮止されるフロントキャビネットと、
前記第２差込部が差し込まれる第２被差込部を有し、前記第２被差込部に前記第２差込部が差し込まれた状態で、前記フロントキャビネットとともに前記トレーシャーシを挟み込んで固定するためのリアキャビネットと、
を備えることを特徴とするテレビ受信機。
【請求項２】
前記仮止め部の底面前部に、前方に向かって低くなった傾斜面を設けたことを特徴とする請求項１に記載のテレビ受信機。
【請求項３】
前記ビデオデッキ部はプリント基板に搭載されていることを特徴とする請求項１又は２に記載のテレビ受信機。
【発明の詳細な説明】
【０００１】
【発明の属する技術分野】
本発明は、トレーシャーシ仮止機構及びこのトレーシャーシ仮止機構を利用した電子機器に関する。具体的に言うと、例えばビデオテープレコーダ等の重量物を搭載したテレビ受信機等の電子機器に用いられるトレーシャーシ仮止機構と、このトレーシャーシ仮止機構を利用した電子機器とに関する。
【０００２】
【従来の技術】
近年、省スペース化を図るため、記録再生用ビデオテープレコーダが組み込まれたテレビ受信機が開発されている。このテレビ受信機は、記録再生用ビデオテープレコーダと映像等を写し出すテレビ受信機とが一体に組み込まれている。かかるテレビ受信機では、ビデオテープに映像を記録したり、ビデオテープに記録された映像を再生するためのビデオデッキ部は、プリント配線基板上に搭載されている。
【０００３】
このビデオデッキ部は、トランスなど他の電子部品と比較すると比較的重量があり、プリント配線基板上に搭載しただけではプリント配線基板の強度が不足する。このため、ビデオデッキ部が搭載されたプリント配線基板は、一旦トレーシャーシ上に載置された後に、フロントキャビネットとリアキャビネットによって挟み込まれて、組み立てられる。
【０００４】
かかるテレビ受信機においては、完成品とする前に、通常、テレビ受信機のチューナ部や画像色調など各種の映像調整や記録再生用ビデオテープレコーダの調整を行なう必要がある。この調整作業では、ビデオデッキ部が搭載されたプリント配線基板はトレーシャーシを用いてフロントキャビネットに取り付けられるが、この際、トレーシャーシが水平となるように、トレーシャーシをフロントキャビネットにビス止めするなど、ビス等の仮止治具を用いて、一旦、トレーシャーシをフロントキャビネットに対して固定する必要があった。
【０００５】
そして、実際に調整作業では、再び仮止治具を外して、トレーシャーシをフロントキャビネットから取り外さなければならない場合がある。かかる場合に、ビス等の仮止治具を取り外してトレーシャーシをフロントキャビネットから取り外すのは、非常に煩わしいものとなっていた。
【０００６】
本発明は叙上の従来例の欠点に鑑みてなされたものであり、その目的とするところは、簡単にトレーシャーシをフロントキャビネットに仮止するための仮止機構を提供し、調整作業を容易にすることにある。
【０００７】
【課題を解決するための手段】
本発明に係るトレーシャーシ仮止機構は、重量物を搭載したトレーシャーシを、フロントキャビネットと後部キャビネット構成部材に挟み込んで組み立てられる電子機器において、前記トレーシャーシの重心位置よりも前方に設けた差込み部を、前記フロントキャビネットに設けた被差込み部に差し込み、前記トレーシャーシを前記フロントキャビネットに仮り止めするためのトレーシャーシ仮止機構であって、前記トレーシャーシの裏面側に、前記差込み部よりも後方に、突起状の仮止め部を設けるとともに、前記フロントキャビネットの底面に、前記仮止め部と嵌合する嵌め込み部を設けたことを特徴としている。
【０００８】
このとき、前記仮止め部の底面前部には、前方に向かって低くなった傾斜面を設けるのが好ましい。
【０００９】
本発明の電子機器は、本発明のトレーシャーシ仮止機構を利用したことを特徴としている。
【００１０】
【発明の実施の形態】
図１は本発明の一実施例であるトレーシャーシ仮止機構を利用した電子機器であるテレビ受信機Ａの概略的分解斜視図、図２はテレビ受信機Ａのフロントキャビネット１１０の概略的背面図、図３は当該フロントキャビネット１１０の概略的裏面図、図４はこのテレビ受信機Ａのリアキャビネット１５０の概略的背面図、図５はこのテレビ受信機Ａに使用するトレーシャーシ２００の概略的裏面図、図６は当該トレーシャーシ２００の概略的側面図、図７はトレーシャーシ２００をフロントキャビネット１１０に仮止めした状態を示す概略的説明図である。以下、各図にしたがって説明する。
【００１１】
本発明に係るトレーシャーシ仮止機構を用いたテレビ受信機Ａは、記録再生用ビデオテープレコーダとテレビジョンとが一体になったものであり、ビデオテープに映像を記録したり、ビデオテープに記録された映像を再生するためのビデオデッキ部３１０が搭載されたプリント配線基板３００と、当該プリント配線基板３００を載置するためのトレーシャーシ２００と、トレーシャーシ２００やブラウン管４００を納めるためのキャビネット１００とを有している。
【００１２】
前記キャビネット１００は、フロントキャビネット１１０とリアキャビネット１６０の２つの部材から構成されており、フロントキャビネット１１０とリアキャビネット１６０は、図示しないビス等によってねじ止めされることにより組み立てられる。これらのフロントキャビネット１１０やリアキャビネット１６０は、それぞれ、プラスチック材料などから成形されている。
【００１３】
フロントキャビネット１１０の前面には、ブラウン管４００の画面をはめ込むための四角い窓枠１１１やビデオデッキ部３１０にビデオテープを挿入するための横方向に細長い挿入口１１２、あるいは、各種のスイッチや表示灯 (図示省略) を配設するための複数個の開口１１３が設けられている。
【００１４】
また、フロントキャビネット１１０の底面には、図３に示すように、後述するトレーシャーシ２００に取り付けられたスピーカー２３０の音声が外部に行き渡るように多数の音声用開口１１４が設けられるとともに、キャビネット１００の内部で発生した熱を放出するための放熱用開口１１５が多数設けられている。
【００１５】
さらに、フロントキャビネット１１０の底面には、下方に飛び出た段差部分１２０が設けられている。かかる段差部分１２０には、トレーシャーシ２００の前方の差込み部２２０を差し込むための被差込み部１３０が、背面側に向けて２箇所に開設されている。また、段差部分１２０となっていないフロントキャビネット１１０の底面には、トレーシャーシ２００の仮止め部２５０が嵌合する２つの嵌め込み部１４０が、開設されている（図３参照）。この仮止め部２５０は、前記被差込み部１３０より後方に設けられている。
【００１６】
前記リアキャビネット１６０の背面には、図４に示すように、キャビネット１００の内部で発生した熱を放出するための放熱用開口１６１が多数設けられている。また、かかるリアキャビネット１６０の底面にも、下方に飛び出た段差部分１７０が設けられている。この段差部分１７０には、トレーシャーシ２００の後方の差込み部２２０が差し込まれるための被差込み部１８０が、背面側に向けて３箇所に開設されている。
【００１７】
さらに、このリアキャビネット１６０の背面には、その内周に沿って、断面略コ字状となったはめ合わせ部材１９０が突設されており、はめ合わせ部材１９０をフロントキャビネット１１０の内面に沿うようにして挿入することにより、フロントキャビネット１１０とリアキャビネット１６０とをぴったりと一致させることができるようになっている。
【００１８】
前記トレーシャーシ２００は、図５に示すように、プラスチック材料からほぼ角枠状に成形されており、トレーシャーシ２００の強度を増すために、補強枠２１０が斜めに設けられている。かかるトレーシャーシ２００の表面には、プリント配線基板３００の位置決めをするための位置決め部２３０が突設されており、ビデオデッキ部３１０が搭載されたプリント配線基板３００が、位置決め部２３０によって位置決めされ、図外のビス等によりトレーシャーシ２００に固定される。また、トレーシャーシ２００の前隅部のスピーカー載置部２４０には、スピーカー３２０が載置される。
【００１９】
トレーシャーシ２００の裏面には、断面略Ｌ字状をしたフック状の差込み部２２０が、トレーシャーシ２００の中央より前方に２箇所、後方に３箇所設けられている。これらの差込み部２２０は、それぞれ、フロントキャビネット１１０に開設された被差込み部１３０及びリアキャビネット１６０に開設された被差込み部１８０に差し込まれるようになっている。そして、このトレーシャーシ２００は、フロントキャビネット１１０及びリアキャビネット１６０に挟み込まれた状態でキャビネット１００の内部に納められる。また、トレーシャーシ２００の重心は、ビデオデッキ部３１０が搭載されたプリント配線基板３００を載置した状態では、トレーシャーシ２００の前方の差込み部２２０よりも後方に位置するように設定されている。
【００２０】
さらに、このトレーシャーシ２００の裏面には、トレーシャーシ２００をフロントキャビネット１１０に仮り止めするための仮止め部２５０が突設されている。この仮止め部２５０は、平面略コ字状をした突起状に形成されており、仮止め部２５０の底面前方部は、前方に向かって低くなった傾斜面２５１になっている。また、この仮止め部２５０は、トレーシャーシ２００の前方の差込み部２２０よりもやや後方に設けられている。このため、図７に示すようにトレーシャーシ２００の前方の差込み部２２０を、フロントキャビネット１１０の被差込み部１３０に差し込んだ状態では、トレーシャーシ２００の仮止め部２５０は、フロントキャビネット１１０の嵌め込み部１４０に嵌合される。これにより、トレーシャーシ２００は、フロントキャビネット１１０の底面により支えられるようにしてほぼ水平に保持されることになる。
【００２１】
従って、この状態では、トレーシャーシ２００の仮止め部２５０は、トレーシャーシ２００の自重によって確実に、フロントキャビネット１１０の嵌め込み部１４０に嵌合された状態に維持され、トレーシャーシ２００を後方に引っ張るだけでは容易に外れることがない。このため、トレーシャーシ２００はフロントキャビネット１１０に対して安定した状態に保持され、画像等のチェックを行なうことができる。
【００２２】
また、仮止め部２５０の底面の前方部は、前方に傾斜した傾斜面２５１となっているために、トレーシャーシ２００を取り外す際には、トレーシャーシ２００の後方を少し上げて、そのまま水平後方に引き出すようにすれば、容易にトレーシャーシ２００を外すことができる。
【００２３】
このように、本発明のトレーシャーシ仮止機構にあっては、従来のように仮止治具を用いることなくトレーシャーシ２００を、フロントキャビネット１１０に仮止めすることができ、トレーシャーシ２００の仮止めと取り外しを容易に行なえる。したがって、その都度ビス等の仮止治具によりトレーシャーシ２００をフロントキャビネット１１０に対して仮止めする必要がなく、画像等のチェックと調整作業を繰り返して行なうような場合には、特に有効な機構であり、映像調整や記録再生用ビデオテープレコーダの調整など各種の調整を容易に行なうことができる。
【００２４】
しかも、トレーシャーシ２００はほぼ水平に保持されているため、リアキャビネット１６０とフロントキャビネット１１０を容易にはめ合わせることができ、当該テレビ受信機Ａの組み立て作業を容易に行なうことができる。
【００２５】
なお、上述した実施例においては、ビデオテープレコーダが一体化されたビデオテープレコーダ搭載テレビ受信機Ａについて説明したが、本発明のトレーシャーシ仮止機構は、例えば、ＣＤプレーヤやＭＤプレーヤ、カセットテープレコーダなど、重量物がトレーシャーシ２００上に載置されるような数々の電子機器に適宜応用できるのは言うまでもない。
【００２６】
【発明の効果】
本発明に係るトレーシャーシ仮止機構は、重量物を搭載したトレーシャーシを、フロントキャビネットとリアキャビネットに挟み込んで組み立てられる電子機器において、前記トレーシャーシの重心位置よりも後方に設けた差込み部を、前記フロントキャビネットに設けた被差込み部に差し込んで、前記トレーシャーシを前記キャビネット構成部材に仮り止めするためのトレーシャーシ仮止機構であって、前記トレーシャーシの裏面側の、前記差込み部よりも後方に、突起状の仮止め部を設けるとともに、前記フロントキャビネットの底面に、前記仮止め部と嵌合する嵌め込み部を設けているので、仮止治具を用いることなく、トレーシャーシをフロントキャビネットに簡単確実に仮止めすることができ、トレーシャーシの取付けや取り外しを容易に行なえ、画像等のチェックとその調整作業を簡単に行なうことができる。
【００２７】
また、前記仮止め部の底面前部に、前方に向かって低くなった傾斜面を形成しているので、トレーシャーシを取り外す際には、トレーシャーシの後部を持上げて、そのまま、後方水平に引出すようにすれば、簡単トレーシャーシを取り外すことができる。
【００２８】
本発明に係るトレーシャーシ仮止機構は、例えば、ビデオテープレコーダ搭載テレビ受信機に適用することができる。
【図面の簡単な説明】
【図１】本発明に係るトレーシャーシ仮止機構を利用したビデオテープレコーダ搭載テレビ受信機の概略分解斜視図である。
【図２】同上のテレビ受信機のフロントキャビネットの概略的背面図である。
【図３】同上のフロントキャビネットの概略的裏面図である。
【図４】同上のテレビ受信機のリアキャビネットの概略的背面図である。
【図５】同上のテレビ受信機に使用するトレーシャーシの概略的裏面図である。
【図６】同上のトレーシャーシの側面図である。
【図７】同上のトレーシャーシをフロントキャビネットに仮止した状態を示す概略的説明図である。
【符号の説明】
１１０  フロントキャビネット
１３０  フロントキャビネットの被差込み部
１４０  嵌め込み部
１６０  リアキャビネット
１８０  リアキャビネットの被差込み部
２００  トレーシャーシ
２５０  仮止め部
２５１  仮止め部の傾斜面
３１０  ビデオデッキ部（重量物）
【図１】
0003651139.tif 000002
【図２】
0003651139.tif 000003
【図３】
0003651139.tif 000004
【図４】
0003651139.tif 000005
【図５】
0003651139.tif 000006
【図６】
0003651139.tif 000007
【図７】
0003651139.tif 000008